(57)【要約】【課題】内容物を吐出させる際の押下ヘッドの押下力を低減することができる吐出器を提供する。【解決手段】押下ヘッド５１を押し下げることで、上下方向に延設されたシリンダ部３内の内容物が、ノズル部８の吐出口８ａから吐出され、押下ヘッド５１の押し下げを解除したときに、容器本体１１内の内容物が容器本体１１内に連通するシリンダ部３内に供給される構成とされた吐出器１であって、押下ヘッド５１が挿通される挿通孔２０を有するレバー部材２１と、レバー部材２１を上下方向に回動自在に支持する支持部材２２と、一端部２３ａ側が支持部材２２に連結され、かつ他端部２３ｂ側がレバー部材２１に連結された帯体２３と、を備え、帯体２３は、押下ヘッド５１を跨いで配設され、帯体２３のうち、一端部２３ａと他端部２３ｂとの間の中間部２３ｃは、押下ヘッド５１を押し下げ可能に、押下ヘッド５１に係合する。【選択図】図１
2018122899.tif 000002
【特許請求の範囲】
【請求項１】
内側が容器本体内に連通するとともに、上下方向に延びるシリンダ部と、
前記シリンダ部内に上下摺動可能に配設されたピストン部と、
上方付勢状態で下方移動可能に配設されるとともに、前記ピストン部の上下動に連係する押下ヘッドと、
前記シリンダ部内の内容物を吐出する吐出口が形成されたノズル部と、を備え、
前記押下ヘッドの上下動に伴って、前記容器本体の内容物が前記シリンダ部内へ供給されるとともに、前記シリンダ部内の内容物が前記吐出口から吐出される吐出器であって、
前記押下ヘッドが挿通される挿通孔を有するレバー部材と、
前記レバー部材を上下方向に回動自在に支持する支持部材と、
一端部側が前記支持部材に連結され、かつ他端部側が前記レバー部材に連結された帯体と、を備え、
前記帯体は、前記押下ヘッドを跨いで配設され、前記帯体のうち、前記一端部と前記他端部との間の中間部は、前記押下ヘッドを押し下げ可能に前記押下ヘッドに係合していることを特徴とする吐出器。
【請求項２】
前記レバー部材は、上下方向から見た平面視において、前記押下ヘッド側から、シリンダ軸と直交する径方向の外側に向けて延びる操作部を備え、
前記操作部は、前記レバー部材のうち、前記挿通孔を前記径方向に挟む前記支持部材との接続部分の反対側に位置していることを特徴とする請求項１に記載の吐出器。
【発明の詳細な説明】
【技術分野】
【０００１】
本発明は、吐出器に関する。
【背景技術】
【０００２】
従来、例えば下記特許文献１および特許文献２に示されるように、内側が容器本体内に連通するとともに、上下方向に延びるシリンダ部と、シリンダ部内に上下摺動可能に配設されたピストン部と、上方付勢状態で下方移動可能に配設されるとともに、ピストン部の上下動に連係する押下ヘッドと、シリンダ部内の内容物を吐出する吐出口が形成されたノズル部と、を備え、押下ヘッドの上下動に伴って、容器本体の内容物がシリンダ部内へ供給されるとともに、シリンダ部内の内容物が吐出口から吐出される吐出器が知られている。
【先行技術文献】
【特許文献】
【０００３】
【特許文献１】特開２０１５−１２７２４２号公報
【特許文献２】特開２０１５−０２０７６４号公報
【発明の概要】
【発明が解決しようとする課題】
【０００４】
しかしながら、前記従来の吐出器では、内容物を吐出させる際の押下ヘッドの押下力を低減することに改善の余地があった。
【０００５】
そこで本発明は、前述した事情に鑑みてなされたものであり、内容物を吐出させる際の押下ヘッドの押下力を低減することができる吐出器を提供することを目的とする。
【課題を解決するための手段】
【０００６】
前記課題を解決するために、本発明に係る吐出器は、内側が容器本体内に連通するとともに、上下方向に延びるシリンダ部と、前記シリンダ部内に上下摺動可能に配設されたピストン部と、上方付勢状態で下方移動可能に配設されるとともに、前記ピストン部の上下動に連係する押下ヘッドと、前記シリンダ部内の内容物を吐出する吐出口が形成されたノズル部と、を備え、前記押下ヘッドの上下動に伴って、前記容器本体の内容物が前記シリンダ部内へ供給されるとともに、前記シリンダ部内の内容物が前記吐出口から吐出される吐出器であって、前記押下ヘッドが挿通される挿通孔を有するレバー部材と、前記レバー部材を上下方向に回動自在に支持する支持部材と、一端部側が前記支持部材に連結され、かつ他端部側が前記レバー部材に連結された帯体と、を備え、前記帯体は、前記押下ヘッドを跨いで配設され、前記帯体のうち、前記一端部と前記他端部との間の中間部は、前記押下ヘッドを押し下げ可能に前記押下ヘッドに係合していることを特徴とする。
【０００７】
この発明によれば、帯体において、支持部材に連結された一端部側と、レバー部材に連結された他端部側と、の間の中間部が、押下ヘッドを押し下げ可能となるように押下ヘッドに係合しているので、レバー部材を下方へ向けて回動すると、帯体における前記一端部側が支持部材に固定された状態で、前記他端部側がレバー部材とともに下降移動するのに伴い、前記中間部が帯体の長手方向に沿って押下ヘッド上を移動する。このため、押下ヘッドが、帯体の前記中間部により下降移動させられ、ピストン部がシリンダ部内を下降移動する。
【０００８】
したがって、帯体のうち、前記一端部側が支点として、前記他端部側が力点として、前記中間部が作用点として、それぞれ機能することとなる。また、この過程において、帯体における前記中間部のうち、押下ヘッドを押下する作用点部分と、力点である前記他端部側と、の距離が漸次長くなる一方、帯体における前記中間部のうち、前記作用点部分と、支点である前記一端部側と、の距離が漸次短くなる。
【０００９】
これにより、内容物を吐出する過程において、レバー部材に加えた押下力を、梃子の原理により増幅させて前記中間部を介して押下ヘッドに及ぼすことができ、内容物を吐出する際の押下ヘッドの押下力を漸次低減することができる。これにより、吐出器に優れた操作性を具備させることができる。
また、レバー部材を下方へ向けて回動する際に、レバー部材のうち、挿通孔を径方向に挟む支持部材との接続部分の反対側に位置する部分を押下すると、この押下力をレバー部材に固定された帯体の他端部側に増幅させて及ぼすことが可能になり、内容物を吐出する際の押下ヘッドの押下力を、より一層効果的に低減することができる。
【００１０】
また、前記レバー部材は、上下方向から見た平面視において、前記押下ヘッド側から、シリンダ軸と直交する径方向の外側に向けて延びる操作部を備え、前記操作部は、前記レバー部材のうち、前記押下ヘッドを前記径方向に挟む前記支持部材との接続部分の反対側に位置してもよい。
この場合には、レバー部材の操作部が、押下ヘッド側から径方向の外側に向けて延びているので、操作部を押下してレバー部材を下方に向けて回動することで、操作部への押下力を、レバー部材に固定された帯体の他端部側に、より一層効果的に増幅させて及ぼすことができ、吐出器により一層優れた操作性を具備させることができる。
【発明の効果】
【００１１】
本発明によれば、内容物を吐出させる際の押下ヘッドの押下力を低減することができる。
【図面の簡単な説明】
【００１２】
【図１】本発明の第１実施形態に係る吐出器の縦断面図である。
【図２】図１に示す吐出器の上面図である。
【図３】図１に示す帯体の第１変形例を示す吐出器の縦断面図である。
【図４】図１に示す帯体の第２変形例を示す吐出器の縦断面図である。
【図５】本発明の第２実施形態に係る吐出器の縦断面図である。
【図６】図５に示す吐出器の上面図である。
【図７】本発明の第３実施形態に係る吐出器の正面図である。
【図８】図７に示す吐出器の上面図である。
【発明を実施するための形態】
【００１３】
（第１実施形態）
以下、図１から図４を参照して、本発明の第１実施形態に係る吐出器１について説明する。なお、以下の説明に用いる各図面では、各部材を認識可能な大きさとするために縮尺を適宜変更している。
【００１４】
図１に示すように、吐出器１は、内容物が収容される容器本体１１内に内側が連通するとともに、上下方向に延びるシリンダ部３と、シリンダ部３内に上下摺動可能に配設されたピストン部４と、上方付勢状態で下方移動可能に配設されるとともに、ピストン部４の上下動に連係する押下ヘッド５１を有するピストン操作部５と、シリンダ部３内の内容物を吐出する吐出口８ａが形成されたノズル部８と、容器本体１１の口部１１ａに装着される装着キャップ２と、を備えている。
【００１５】
ここで、容器本体１１は、有底筒状に形成され、シリンダ軸Ｏと同軸に配設されている。
以下、シリンダ軸Ｏに沿って、押下ヘッド５１側を上側、容器本体１１側を下側という。また、シリンダ軸Ｏに沿う方向を上下方向といい、上面視において、シリンダ軸Ｏに直交する方向をシリンダ径方向といい、シリンダ軸Ｏ回りに周回する方向をシリンダ周方向という。
【００１６】
容器本体１１は、例えばガラス瓶、合成樹脂製ボトル等であり、内部に図示しない内容物が収容される。口部１１ａの外周面には、雄ねじ１８が形成されている。口部１１ａの内側には、中栓１３が装着されている。
【００１７】
中栓１３は、円筒形状に形成され、シリンダ軸Ｏと同軸に配設されている。
中栓１３の上下方向の中間部における外周面には、シリンダ径方向の外側に向けて突出するフランジ部１４が形成されている。フランジ部１４は、シリンダ周方向の全周にわたって延びる円環状の板部である。フランジ部１４は、中栓１３を支持するための支持部であり、口部１１ａの上端開口縁上に載置されている。
【００１８】
装着キャップ２は、円筒形状に形成され、シリンダ軸Ｏと同軸に配設されている。装着キャップ２の内周面には、口部１１ａの雄ねじ１８に螺合された雌ねじ１９が形成されている。
【００１９】
シリンダ部３は、上下方向に延設された有底筒状に形成され、容器本体１１の上方に配置されている。
シリンダ部３には、装着キャップ２に接続され、口部１１ａに装着された装着筒部３０が設けられている。装着筒部３０は、シリンダ部３の底壁部３１から下方に向けて延在し、シリンダ軸Ｏと同軸に配設されている。装着筒部３０の下端部には、装着キャップ２の上端部内にアンダーカット嵌合され、前述した中栓１３におけるフランジ部１４上に載置された支持フランジ部３０ａが形成されている。
図２に示すように、装着筒部３０の外周面には、シリンダ径方向の外側に向けて突出する装着リブ３０ｂが形成されている。装着リブ３０ｂは、表裏面がシリンダ周方向を向く板状部材であり、装着筒部３０の外周面のうち、装着キャップ２の上方に位置する部分に形成されている。装着リブ３０ｂは、シリンダ周方向に間隔をあけて複数形成されている。図示の例では、装着リブ３０ｂは３つ形成されている。
【００２０】
図１に示すように、シリンダ部３の上部における外周面には、被係止部３４がシリンダ径方向の外側に向けて全周にわたって連続して突設されている。なお、被係止部３４は、シリンダ部３の外周面において、シリンダ周方向に間隔をあけて複数形成してもよい。
【００２１】
シリンダ部３には、容器本体１１内の内容物をシリンダ部３内の液室３２に吸込む吸込み部６が配設されている。吸込み部６の内側は、シリンダ部３内の液室３２に連通している。吸込み部６は、シリンダ部３の底壁部３１の下面から下方に向かって延びているとともに液室３２に連通した接続筒部６０と、接続筒部６０に接続されたディップチューブ６１と、を備えている。
【００２２】
接続筒部６０は、シリンダ部３における装着筒部３０の内側に配設されているとともに、シリンダ軸Ｏと同軸に配設されている。接続筒部６０のうち、上端部は他の部分よりも拡径されている。すなわち、接続筒部６０は、液室３２に向けて開口された大径の上筒部６２と、上筒部６２の下方に段差を介して連設された小径の下筒部６３と、を備えている。
下筒部６３の上端部の内周面には、全周にわたって延びるとともに、シリンダ径方向の内側に向けて突出した円環状の弁座部６４が形成されている。接続筒部６０は、シリンダ部３と一体に形成されている。下筒部６３の下端部は、中栓１３内に嵌合されている。
【００２３】
ディップチューブ６１は、容器本体１１の内側に配置されて容器本体１１内の内容物を吸い上げるためのチューブであり、例えば可撓性を有するフレキシブルチューブからなる。なお、ディップチューブ６１は、単なる円筒状のパイプであってもよい。ディップチューブ６１の下端開口は、容器本体１１内に開放されており、ディップチューブ６１の上端開口は、接続筒部６０の内側に嵌合されて上筒部６２内を通して液室３２に連通している。
【００２４】
吸込み部６の内側に、ピストン部４の動作に伴って容器本体１１内と液室３２との連通、およびその遮断を切換える吸込み弁７が配設されている。吸込み弁７は、吸込み部６の上筒部６２内に嵌合された周壁部７０と、周壁部７０の内側に配設されて弁座部６４の内側を開閉する板状の弁体部７１と、弁体部７１の外周面と、周壁部７０の内周面と、を連結する弾性変形可能な連結片７２と、を備えている。
周壁部７０は、吸込み部６の上筒部６２内にアンダーカット嵌合されている。弁体部７１は、弁座部６４の上面に密に当接している。連結片７２は、例えばシリンダ周方向に間隔をあけて複数配設され、弁体部７１の外周面と、周壁部７０の内周面と、をシリンダ周方向に繋いでいる。
【００２５】
なお、吸込み弁７は、１つの連結片７２で弁体部７１を支持した一点弁でもよい。さらに、本実施形態では、弁座部６４に着座する弁体部７１を利用することで吸込み部６の内側を開閉する吸込み弁７を例に挙げたが、この場合に限定されるものではなく、例えばボール弁を吸込み弁として採用しても構わない。
【００２６】
ノズル部８は、シリンダ部３内の液室３２に貯留された内容物を外部に吐出させるための筒状部材である。ノズル部８が、シリンダ部３の下端部に連結されている。なお、図面にＬで示す一点鎖線は、ノズル部８の中心軸線を示しており、以下、ノズル軸Ｌという。
また、ノズル軸Ｌに沿う方向を前後方向といい、前後方向から見てノズル軸Ｌに直交する方向をノズル径方向といい、ノズル軸Ｌ回りに周回する方向をノズル周方向という。さらに、前後方向のうち、吐出口８ａ側を前側といい、シリンダ部３側を後側という。また、上面視で前後方向と直交する方向を左右方向という。前後方向はシリンダ径方向のうちの一方向と一致している。
【００２７】
ノズル部８は、後側に位置する根元筒部８２と、前側に位置し、根元筒部８２に外嵌されたノズル筒部８１と、を備えている。
根元筒部８２は、シリンダ部３と一体に形成されている。根元筒部８２の後端部は、端壁部８２ａによって閉塞されている。根元筒部８２の後端部の上部は、シリンダ部３の内部に向けて開口している。
また、根元筒部８２の内側には、ノズル軸Ｌに対して直交する隔壁部８３が配設されている。
【００２８】
隔壁部８３には、前後方向に貫通する挿入孔８３ａが形成されている。挿入孔８３ａは、隔壁部８３の中央部分にノズル軸Ｌと同軸に配設されている。挿入孔８３ａは、前側に向かうに従い漸次拡径するテーパー状に形成されている。
また、隔壁部８３には、前後方向に貫通する複数の流通孔８３ｂが形成されている。流通孔８３ｂは、内容物が流通する流路であり、挿入孔８３ａの周囲にノズル周方向に間隔をあけて複数形成されている。
【００２９】
ノズル筒部８１は、内容物を吐出するための筒部材であり、内容物を吐出する吐出口８ａを有している。ノズル筒部８１は、根元筒部８２をノズル径方向に囲繞する外装筒部８１ａと、外装筒部８１ａの前端部から前後方向に延びる延出筒部８１ｂと、延出筒部８１ｂの前端部から下方に向けて延び、下端開口が吐出口８ａとされた屈曲筒部８１ｄと、を備えている。延出筒部８１ｂおよび屈曲筒部８１ｄそれぞれの外径および内径は、互いに同等となっている。
【００３０】
ノズル部８の内側に、吐出弁９が配設されている。吐出弁９は、ノズル部８内からシリンダ部３の液室３２への内容物および空気の流入を止める逆止弁であり、ピストン部４の下降移動に連動して開けられる。
吐出弁９は、ノズル部８の内側に取付けられる弁基部９０と、弾性変形することにより液室３２と吐出口８ａとの連通およびその遮断を切り替える弁部９１と、を備えている。
弁部９１は、弁基部９０から前方に向けて延びる筒状に形成されている。
【００３１】
弁基部９０は、隔壁部８３の前側に配設され、挿入孔８３ａより大径に形成された基部本体９２と、基部本体９２から後側に向けて突出し、挿入孔８３ａに挿入された挿入部９３と、を備えている。挿入部９３は筒状に形成され、ノズル軸Ｌと同軸に配設されている。
挿入部９３のうち、隔壁部８３より後側に位置する後端部には、ノズル径方向の外側に向けて突出する係止部９４が形成されている。挿入部９３は、挿入孔８３ａに前後動自在に挿通される。吐出弁９が前進端位置に位置したときに、係止部９４が隔壁部８３の後面に当接し、吐出弁９が後退端位置に位置したときに、基部本体９２が隔壁部８３の前面に当接する。
【００３２】
係止部９４は、後側に向かうに従い漸次、縮径された円錐台形状に形成されている。係止部９４を、上述したテーパー状の挿入孔８３ａの前側から挿入孔８３ａ内に挿入させることで、吐出弁９が隔壁部８３に装着されている。基部本体９２は、柱状に形成され、ノズル軸Ｌと同軸に配設されている。
弁部９１は、前側に向かって漸次拡径されたテーパー状の筒形状をなし、弁基部９０の基部本体９２の外周縁から、前側に向かって突出している。弁部９１の前端部は、根元筒部８２の内周面に全周にわたって密に当接している。
【００３３】
ピストン部４は、シリンダ部３内を上下方向に摺動可能に配設され、液室３２を画成している。
ピストン部４は、図１に示すように、シリンダ軸Ｏに直交する底壁部４０と、底壁部４０の外縁から上方に向けて延びる周壁部４１と、周壁部４１をシリンダ径方向の外側から囲繞し、かつシリンダ部３内に摺動自在に嵌合された筒状の摺接部４２と、を備えている。
【００３４】
底壁部４０は、液室３２に面する平面視で円形を呈する壁部であり、シリンダ部３の底壁部３１に対して上方に間隔をあけて配置されている。底壁部４０の外周部の上面には後述する連結部材５３の嵌合フランジ部５３ｂが当接しており、嵌合フランジ部５３ｂによって底壁部４０が上方から押さえられている。
【００３５】
周壁部４１は、円筒形状の筒部であり、シリンダ軸Ｏと同軸に配設されている。摺接部４２は、シリンダ軸Ｏと同軸に配設された円筒形状をなし、摺接部４２の上下方向の中間部は、周壁部４１の上端部に連結されている。摺接部４２の上端部は、上側に向かうに従い漸次拡径されたテーパー形状に形成されている。また、摺接部４２の下端部は、下側に向かうに従い漸次拡径されたテーパー形状に形成されている。そして、これら摺接部４２の上下方向の両端部は、それぞれシリンダ部３の内周面に全周にわたって密に摺動自在に当接している。
【００３６】
ピストン操作部５は、押下ヘッド５１と、シリンダ部３の上端部に装着された中蓋５０と、押下ヘッド５１を上方に付勢するコイルスプリング５２と、押下ヘッド５１とピストン部４とを連結する連結部材５３と、を備えている。
中蓋５０は、シリンダ軸Ｏに対して垂直に配設された円環状の天壁部５０ａと、天壁部５０ａの外縁から下方に向かって延びる外筒部５０ｂと、天壁部５０ａの内縁から下方に向かって延びる内筒部５０ｃと、内筒部５０ｃの下端部からシリンダ径方向の内側に向けて延びる円環状の底壁部５０ｄと、底壁部５０ｄの内縁から立設されたガイド筒部５０ｅと、を備えている。
天壁部５０ａは、シリンダ部３の上方に配置され、シリンダ部３の上端開口縁上に載置されている。
【００３７】
外筒部５０ｂは、シリンダ部３の上端部の外周に周設された円筒形状の筒部であり、シリンダ軸Ｏと同軸に配設されている。外筒部５０ｂは、シリンダ部３の上端部にアンダーカット嵌合されている。内筒部５０ｃは、シリンダ部３の上端部の内側に配設された円筒形状の筒部である。内筒部５０ｃは、シリンダ軸Ｏと同軸に配設されている。
【００３８】
底壁部５０ｄは、シリンダ軸Ｏに対して垂直に配設された円環状の板部である。底壁部５０ｄは、シリンダ軸Ｏと同軸に配設されている。
底壁部５０ｄの下面には、連結部材５３の嵌合フランジ部５３ｂに上方から当接するストッパ５０ｆが設けられている。ガイド筒部５０ｅは、内筒部５０ｃの内側に配設された円筒形状の直筒部であり、シリンダ軸Ｏと同軸に配設されている。
【００３９】
押下ヘッド５１は、上方付勢状態で下方移動可能に配設されるとともに、ピストン部４の上下動に連係する。押下ヘッド５１は、シリンダ軸Ｏに対して垂直に配設された円環状の天壁部５１ａと、天壁部５１ａの外縁から下方に向かって延びる周壁部５１ｂと、天壁部５１ａの内縁から下方に向かって延びる内筒部５１ｃと、天壁部５１ａの下面から下方に向かって延びる筒状のスプリング保持部５１ｄと、を備えている。天壁部５１ａは、中蓋５０における天壁部５０ａの上方に配設されている。
周壁部５１ｂは、中蓋５０の外筒部５０ｂおよびシリンダ部３の外周に周設された円筒形状をなし、シリンダ軸Ｏと同軸に配設されている。
【００４０】
内筒部５１ｃは、周壁部５１ｂの内側に配設された円筒形状の直筒部であり、シリンダ軸Ｏと同軸に配設されている。
また、内筒部５１ｃの外径は、中蓋５０のガイド筒部５０ｅよりも小径であり、内筒部５１ｃは、ガイド筒部５０ｅの内側に挿入されている。スプリング保持部５１ｄは、コイルスプリング５２の上端部を保持する円筒形状の筒部であり、周壁部５１ｂの上端部と、内筒部５１ｃの上端部と、のシリンダ径方向の間に配設されている。
【００４１】
コイルスプリング５２は、押し込まれたピストン部４を引き戻す付勢力を付与するための付勢部材であり、上記した中蓋５０と押下ヘッド５１との間に介装されている。
コイルスプリング５２は、押下ヘッド５１の周壁部５１ｂの内側に配設されており、コイルスプリング５２の下端は、上記した中蓋５０の底壁部５０ｄの上面に係止され、コイルスプリング５２の上端は、上記した押下ヘッド５１のスプリング保持部５１ｄにおけるシリンダ径方向の内側に嵌め込まれて押下ヘッド５１の天壁部５１ａの下面に係止されている。
【００４２】
連結部材５３は、押下ヘッド５１の内筒部５１ｃの内側に嵌合された嵌合部５３ａと、嵌合部５３ａの下端からシリンダ径方向の外側に突出した嵌合フランジ部５３ｂと、を備えている。
嵌合部５３ａは、有頂筒状に形成され、シリンダ軸Ｏと同軸に配設されている。
嵌合部５３ａの上端部は、押下ヘッド５１の内筒部５１ｃ内にアンダーカット嵌合されており、嵌合部５３ａの上端面は、押下ヘッド５１の天壁部５１ａの上面と面一に形成されている。
【００４３】
嵌合フランジ部５３ｂは、全周に亘って形成された円環状の板部であり、ピストン部４の底壁部４０の上面に載置されているとともに、ピストン部４の周壁部４１の内側にアンダーカット嵌合されている。
また、嵌合フランジ部５３ｂは、中蓋５０の底壁部５０ｄの下面に設けられたストッパ５０ｆと当接可能とされており、嵌合フランジ部５３ｂおよびストッパ５０ｆが互いに当接することで、コイルスプリング５２による押下ヘッド５１およびピストン部４の上昇が制限され、押下ヘッド５１およびピストン部４のストロークの上端位置が位置決めされている。
【００４４】
そして本実施形態では、吐出器１は、押下ヘッド５１が挿通される挿通孔２０を有するレバー部材２１と、レバー部材２１を上下方向に回動自在に支持する支持部材２２と、一端部２３ａ側が支持部材２２に連結され、かつ他端部２３ｂ側がレバー部材２１に連結された帯体２３と、を備えている。レバー部材２１、支持部材２２、および帯体２３はそれぞれ、別体に形成されている。
【００４５】
図１および図２に示すように、レバー部材２１は、前方に向けて延びるに従い漸次、上方に向けて延びている。レバー部材２１は、支持部材２２に接続された基端部２１ａと、上面視で押下ヘッド５１側から、前方に向けて延びる操作部２１ｂと、基端部２１ａおよび操作部２１ｂを互いに接続し、内側が挿通孔２０とされた接続環部２１ｃと、を備えている。基端部２１ａ、操作部２１ｂ、および接続環部２１ｃは一体に形成されている。
基端部２１ａ、接続環部２１ｃ、および操作部２１ｂは、支持部材２２側から前方に向けてこの順に配置されている。基端部２１ａ、操作部２１ｂ、および接続環部２１ｃそれぞれの左右方向の中央部の位置が、互いに同等となっている。
【００４６】
図２に示すように、基端部２１ａは、支持部材２２の後述する回転軸２６ｂが挿入される軸受け部２１ｄを備えている。軸受け部２１ｄが、支持部材２２に回転自在に接続されている。このため、レバー部材２１は、支持部材２２により回転軸２６ｂ回りに上下方向に回動自在に支持されている。
図１および図２に示すように、操作部２１ｂは、レバー部材２１のうち、挿通孔２０を前後方向に挟む基端部２１ａの反対側に位置している。上面視において、基端部２１ａおよび操作部２１ｂそれぞれの左右方向の大きさは、互いに同等となっている。操作部２１ｂの前後方向の大きさは、基端部２１ａよりも大きくなっている。
【００４７】
接続環部２１ｃは、上面視で左右方向よりも前後方向に長い偏平な環状をなし、シリンダ軸Ｏと同軸に配置されている。接続環部２１ｃの挿通孔２０内に、押下ヘッド５１が上下方向に挿通されている。
接続環部２１ｃの内周面には、前方および後方に向けて窪むとともに、上面視で左右方向に長い矩形状をなす切欠き凹部２１ｅ、２１ｆが一対形成されている。一対の切欠き凹部２１ｅ、２１ｆは、シリンダ軸Ｏを前後方向に挟む位置に各別に形成されている。
【００４８】
接続環部２１ｃの下面における挿通孔２０の開口周縁部において、一対の切欠き凹部２１ｅ、２１ｆのうちの前側に位置する第１切欠き凹部２１ｅよりも前側に位置する部分には、上方に向けて窪むとともに、帯体２３の他端部２３ｂが連結される第１連結凹部２１ｇが形成されている。第１連結凹部２１ｇは後方に向けて開口している。第１連結凹部２１ｇにおける上方に向けた窪み量は、前側に位置する部分が、後側に位置する部分よりも大きくなっている。
【００４９】
支持部材２２は、シリンダ部３に装着された台座部２５と、台座部２５に対して後側の斜め上方に配置され、レバー部材２１を支持する支持部２６と、台座部２５と支持部２６とを接続する接続壁２７と、を備えている。台座部２５、支持部２６、および接続壁２７は一体に形成されている。なお、台座部２５、支持部２６、および接続壁２７は、別体に形成されてもよい。
【００５０】
図２に示すように、上面視において、台座部２５は前方に向けて開口し、シリンダ軸Ｏと同軸に配置されたＣ字状をなしている。台座部２５は、台座部２５の上端部に位置する第１台座２５ａと、第１台座２５ａの下方に位置するとともに、第１台座２５ａよりも縮径された第２台座２５ｂと、を備えている。第１台座２５ａおよび第２台座２５ｂは互いに同軸に配置されるとともに、前後方向にそれぞれ開口するＣ字状をなしている。
【００５１】
第１台座２５ａは、シリンダ部３の底壁部３１、および周壁部３３の下端部に装着されている。第２台座２５ｂは、シリンダ部３の装着筒部３０に装着されている。第２台座２５ｂのシリンダ周方向の中央部には、後方に向けて突出する装着突部２５ｃが形成されている。装着突部２５ｃには、前方に向けて開口する窪み部２５ｆが形成されている。窪み部２５ｆには、装着筒部３０の装着リブ３０ｂが嵌合されている。
ここで、装着筒部３０の３つの装着リブ３０ｂは、装着筒部３０の外周面のうち、後端部と、左右方向の両端部と、に各別に配設されている。
【００５２】
台座部２５のシリンダ周方向の両端部には、上面視で前方に向けて突出する突出係合片２５ｄが各別に配設されている。突出係合片２５ｄは、左右方向から見て矩形状を呈する板状部材である。一対の突出係合片２５ｄは、台座部２５のシリンダ周方向の両端部から、前方に向かうに従い漸次、互いの左右方向の距離が大きくなるように傾斜して配設されている。
台座部２５のシリンダ周方向の両端部と、突出係合片２５ｄと、の接続部分には、左右方向の外側に向けて窪む装着凹部２５ｅが形成されている。装着凹部２５ｅ内に、装着筒部３０の外周面のうち、左右方向の両端部に配設された装着リブ３０ｂが各別に嵌合されている。
【００５３】
図２に示すように、支持部２６は、上面視で矩形状を呈する板状部材である。支持部２６の左右方向の両端部には、上方に向けて突出する支持板２６ａが各別に配設されている。支持板２６ａにおける左右方向の外側を向く外側面には、左右方向の外側に向けて突出する回転軸２６ｂが各別に形成されている。
支持部２６の下面には、下方に向けて突出する前壁部２６ｅおよび後壁部２６ｆが各別に形成されている。前壁部２６ｅは支持部２６の下面における前端部に位置している。後壁部２６ｆは前壁部２６ｅの後方に位置している。後壁部２６ｆの下方に向けた突出量が、前壁部２６ｅよりも大きくなっている。支持部２６の下方のうち、前壁部２６ｅの下方、および前壁部２６ｅと後壁部２６ｆとの前後方向の間に位置する部分が、帯体２３の一端部２３ａが連結される第２連結凹部２６ｃとなっている。
【００５４】
接続壁２７は、台座部２５の外周面から後方に向けて延び、その外端部から上方に向けて延びるＬ字状をなしている。接続壁２７は、左右方向に間隔をあけて一対配設されている。一対の接続壁２７それぞれの上端部が、支持部２６の下面における左右方向の両端部に各別に接続されている。一対の接続壁２７およびレバー部材２１それぞれの左右方向の中央部の位置が、互いに同等となっている。
【００５５】
帯体２３は、押下ヘッド５１を跨いで配設されている。帯体２３のうち、一端部２３ａと他端部２３ｂとの間の中間部２３ｃは、押下ヘッド５１を押し下げ可能に押下ヘッド５１に係合している。図示の例では、帯体２３の中間部２３ｃは、押下ヘッド５１の天壁部５１ａに係合している。帯体２３は上面視で前後方向に延びている。すなわち、帯体２３の長手方向が、上面視で前後方向と一致している。なお、帯体２３の中間部２３ｃは、押下ヘッド５１の周壁部５１ｂに係合してもよい。
【００５６】
帯体２３は、長手方向に直交する断面視において、偏平な矩形状をなす帯状部材であり、可撓性を備えている。帯体２３の左右方向の大きさは、長手方向の全域にわたって同等となっている。帯体２３の左右方向の大きさは、切欠き凹部２１ｅ、２１ｆよりも小さくなっている。帯体２３は、切欠き凹部２１ｅ、２１ｆ内に各別に挿入されている。
帯体２３の中間部２３ｃは、押下ヘッド５１の天壁部５１ａと当接している。帯体２３の中間部２３ｃのうち、他端部２３ｂ側に位置する部分が、天壁部５１ａと当接している。なお、帯体２３の中間部２３ｃのうち、一端部２３ａ側に位置する部分が、天壁部５１ａと当接してもよい。
【００５７】
帯体２３における中間部２３ｃの厚みは、中間部２３ｃにおける長手方向の全域にわたって同等となっている。帯体２３における一端部２３ａおよび他端部２３ｂの厚みは、中間部２３ｃよりも大きくなっている。
帯体の一端部２３ａは、中間部２３ｃの後端部から後方に向けて延びる第１接続片２３ｆと、第１接続片２３ｆの後端部から上方に向けて延びる第１係止片２３ｇと、を備えている。帯体２３の一端部２３ａは、支持部材２２の第２連結凹部２６ｃに連結されている。帯体２３は、一端部２３ａ回りに上下方向に回動自在とされている。
帯体の他端部２３ｂは、中間部２３ｃの前端部から前方に向けて延びる第２接続片２３ｈと、第２接続片２３ｈの前端部から上方に向けて延びる第２係止片２３ｉとを備えている。帯体２３の他端部２３ｂは、レバー部材２１の第１連結凹部２１ｇに連結されている。帯体２３は、他端部２３ｂ回りに上下方向に回動自在とされている。
【００５８】
帯体２３の一端部２３ａおよび他端部２３ｂは、前後方向に互いに対称な形状をなし、大きさが互いに同等となっている。このため、帯体２３は、一端部２３ａおよび他端部２３ｂを区別することなく、レバー部材２１の第１連結凹部２１ｇ、および支持部材２２の第２連結凹部２６ｃに連結することができる。これにより、帯体２３の取付け時の取扱性を向上することができる。
また、帯体２３の一端部２３ａにおける第１係止片２３ｇの後方を向く外表面には、後方に向けて突出する第１係止突部２３ｄが形成されている。帯体２３の他端部２３ｂにおける第２係止片２３ｉの前方を向く外表面には、前方に向けて突出する第２係止突部２３ｅが形成されている。
【００５９】
一端部２３ａの第１係止突部２３ｄが、第２連結凹部２６ｃ内に当接して係止することで、帯体２３の一端部２３ａが、第２連結凹部２６ｃから離脱するのを抑えることができる。
また、他端部２３ｂの第２係止突部２３ｅが、第１連結凹部２１ｇ内に当接して係止することで、帯体２３の他端部２３ｂが第１連結凹部２１ｇから離脱するのを抑えることができる。
【００６０】
ここで、図３および図４に示すように、帯体２３をレバー部材２１および支持部材２２のうちの少なくともいずれか一方と一体に形成してもよい。
帯体２３の第１変形例として、図３に示す帯体２８では、一端部２８ａが支持部材２２ｂと一体に形成されている。帯体２８の一端部２８ａは、支持部材２２ｂにおける前方を向く端縁と接続されている。帯体２８の一端部２８ａは、前記端縁と、前記端縁における左右方向の全域にわたって接続されている。
【００６１】
帯体２３の第２変形例として、図４に示す帯体２９では、他端部２９ｂがレバー部材３５と一体に形成されている。
帯体２９の他端部２９ｂは、レバー部材３５の接続環部２１ｈと一体に形成されている。帯体２９の他端部２９ｂは、接続環部２１ｈの上面における挿通孔２０の開口周縁部のうち、操作部２１ｂの後側に位置する部分に接続されている。帯体２９の他端部２９ｂは、左右方向の全域にわたって、挿通孔２０の開口周縁部に接続されている。
【００６２】
また、帯体２３の第３変形例として、帯体２３における中間部２３ｃの上面、および接続環部２１ｃの上面に、内容物を吐出する際、レバー部材２１の下方に向けた回動に伴う接続環部２１ｃに対する中間部２３ｃの相対的な長手方向の移動量を認識可能にする表示部を各別に形成してもよい。そして、各表示部のうちのいずれか一方を、接続環部２１ｃに対する中間部２３ｃの相対的な長手方向の移動量に対応する、内容物の吐出量とすることで、使用者が吐出量を容易に把握することができる。なお、このような表示部は、レバー部材２１および帯体２３に代えて、例えば押下ヘッド５１およびシリンダ部３等に各別に形成してもよい。
【００６３】
レバー部材２１、支持部材２２、および帯体２３を、図１に示されるように、シリンダ部３に取付ける際には、まず、レバー部材２１の基端部２１ａを、支持部材２２の支持部２６に接続し、レバー部材２１の第１連結凹部２１ｇ、および支持部材２２の第２連結凹部２６ｃに、帯体２３の他端部２３ｂおよび一端部２３ａを各別に連結する。その後、レバー部材２１を、下方から上方に向かうに従い漸次、後方に向けて延びる姿勢にしたうえで、台座部２５をシリンダ部３の周壁部３３の下端部、および装着筒部３０の後方から前方に向けて移動させることで、台座部２５をシリンダ部３の周壁部３３の下端部、および装着筒部３０に装着する。
【００６４】
ここで、台座部２５をシリンダ部３および装着筒部３０に装着する際に、装着筒部３０の外周面における後端部に位置する装着リブ３０ｂを、台座部２５の装着突部２５ｃにおける窪み部２５ｆ内に嵌合する。また、台座部２５の突出係合片２５ｄを、台座部２５のシリンダ周方向の両端部との接続部分回りに、左右方向の外側に向けて回動させて、台座部２５の装着凹部２５ｅ内に、装着筒部３０の外周面における左右方向の両端部に位置する装着リブ３０ｂを各別に嵌合する。
またこの際、レバー部材２１が下方から上方に向かうに従い漸次、後方に向けて延びる姿勢にしておくことにより、レバー部材２１と押下ヘッド５１との干渉を防ぐことができる。
【００６５】
そして、レバー部材２１を下方に向けて回動させることで、挿通孔２０内に、挿通孔２０の下方から押下ヘッド５１を挿通させるとともに、帯体２３に、前後方向に押下ヘッド５１を跨がせながら、帯体２３の中間部２３ｃを押下ヘッド５１の天壁部５１ａに係合させる。
ここで、接続環部２１ｃの下面における挿通孔２０の開口周縁部のうち、前端に位置する部分から回転軸２６ｂまでの距離が、押下ヘッド５１の天壁部５１ａの上面のうち、前端に位置する部分から回転軸２６ｂまでの距離よりも大きくなっている。このため、シリンダ部３に台座部２５を装着した状態で、レバー部材２１を下方に向けて回動させて、挿通孔２０内に挿通孔２０の下方から押下ヘッド５１を挿通させる際に、押下ヘッド５１の天壁部５１ａの上面と、接続環部２１ｃの下面における挿通孔２０の開口周縁部と、が干渉するのを防ぐことができる。
【００６６】
上記した吐出器１を用いて内容物を吐出する際には、図１に示すように、液室３２に内容物が貯留された状態で、レバー部材２１の操作部２１ｂを下方に向けて押下する。これに伴い、レバー部材２１が基端部２１ａ回りに下方に向けて回動し、レバー部材２１に連結された帯体２３の他端部２３ｂが、押下ヘッド５１の前方を下方に向けて移動する。
【００６７】
このため、帯体２３の中間部２３ｃが順次、他端部２３ｂ側に向けて、押下ヘッド５１の天壁部５１ａの上面を摺動しながら移動する。これにより、中間部２３ｃが、押下ヘッド５１をコイルスプリング５２の付勢力に抗して、下方に向けて押し下げる。
この際、コイルスプリング５２が上下方向に圧縮されるとともに、連結部材５３を介して押下ヘッド５１に連結されたピストン部４が、押下ヘッド５１とともにシリンダ部３に対して相対的に下降して、液室３２が減容される。
【００６８】
このような液室３２の減容化によって、液室３２の内圧が所定の正圧まで上昇することで、その内圧によって弁部９１が弾性的に縮径変形し、弁部９１の前端部と根元筒部８２の内周面との間に隙間が形成されて吐出弁９が開かれる。
これにより、液室３２内の内容物が根元筒部８２の後方に流入した後、隔壁部８３の流通孔８３ｂを通って根元筒部８２内を前側に向かって流通し、さらに、根元筒部８２内からノズル筒部８１内に流入し、ノズル筒部８１内を通って吐出口８ａから外部に吐出される。
【００６９】
ここで、前述のように、帯体２３の中間部２３ｃが押下ヘッド５１を押し下げる過程において、中間部２３ｃのうち、押下ヘッド５１を押下する作用点部分は、他端部２３ｂ側に位置する部分から、一端部２３ａ側に位置する部分に向けて順次移動してゆく。
この際、帯体２３のうちの一端部２３ａは、支持部材２２に固定されており、他端部２３ｂは、レバー部材２１に連結されている。このため、中間部２３ｃにより押し下げられる押下ヘッド５１は、レバー部材２１、支持部材２２、および帯体２３と近似的に動滑車を構成している。すなわち、帯体２３の他端部２３ｂにおける下方に向けた変位量は、押下ヘッド５１の下方に向けた変位量と比べて、動滑車における仕事の原理により、約２倍となる。
【００７０】
そして、レバー部材２１の押し下げ操作を止めてピストン部４の下降移動を停止させると、弁部９１が弾性により復元変形して拡径される。これにより、弁部９１の前端部がノズル本体８０の内周面に、全周にわたって再び密に当接して吐出弁９が閉じられ、その結果、ノズル部８の吐出口８ａからの内容物の吐出が停止される。
なお、押下ヘッド５１の天壁部５１ａの下面が、中蓋５０の天壁部５０ａの上面に当接或いは近接した際に、ピストン部４の底壁部４０の下面が、シリンダ部３の底壁部３１の上面に当接或いは近接する。
【００７１】
次に、レバー部材２１の押し下げ操作を解除すると、コイルスプリング５２の付勢力によって押下ヘッド５１が押し上げられ、連結部材５３を介して押下ヘッド５１に連結されたピストン部４が、押下ヘッド５１とともにシリンダ部３に対して相対的に上昇してシリンダ部３の上端側に引き戻され、液室３２の容積が増大される。
なおこの際、押下ヘッド５１の上昇に伴い、押下ヘッド５１の天壁部５１ａが、帯体２３の中間部２３ｃを押し上げる。
【００７２】
ここで、上述したように液室３２の内圧が負圧となると、その内圧によって吸込み弁７の弁体部７１が引っ張られ、吸込み弁７の連結片７２を弾性変形させながら弁体部７１が引き上げられ、弁体部７１が弁座部６４から離間して吸込み弁７が開かれる。
これにより、容器本体１１内の内容物がディップチューブ６１内に流入してディップチューブ６１内を上方に向かって流通し、弁座部６４の内側を通って吸込み弁７の周壁部７０の内側に流入する。そして、その内容物は、周壁部７０と弁体部７１との間の隙間を通って流通し、接続筒部６０の上筒部６２の内側を通過して液室３２内に吸込まれて供給される。
【００７３】
そして、図１に示すように、連結部材５３の嵌合フランジ部５３ｂの上面が、中蓋５０の底壁部５０ｄの下面におけるストッパ５０ｆに当接或いは近接することで、押下ヘッド５１の上昇が停止してピストン部４の引戻し動作が停止する。これにより、吸込み弁７の連結片７２の弾性によって弁体部７１が引き下げられ、弁体部７１が弁座部６４に着座して密に当接して吸込み弁７が閉じられ、その結果、液室３２内への内容物の吸込みが停止される。
【００７４】
また、押下ヘッド５１の天壁部５１ａが、帯体２３の中間部２３ｃを押し上げると、帯体２３の中間部２３ｃが順次、一端部２３ａ側に向けて、押下ヘッド５１の天壁部５１ａの上面を摺動しながら移動する。その結果、帯体２３の他端部２３ｂが、押下ヘッド５１とともに上昇移動する。これに伴い、レバー部材２１が基端部２１ａ回りに上方に向けて回動する。
【００７５】
以上説明したように、本実施形態に係る吐出器１によれば、帯体２３において、支持部材２２に連結された一端部２３ａ側と、レバー部材２１に連結された他端部２３ｂ側と、の間の中間部２３ｃが、押下ヘッド５１を押し下げ可能となるように押下ヘッド５１に係合しているので、レバー部材２１を下方に向けて回動すると、帯体２３における一端部２３ａ側が支持部材２２に固定された状態で、他端部２３ｂ側がレバー部材２１とともに下降移動するのに伴い、中間部２３ｃが帯体２３の長手方向に沿って押下ヘッド５１上を移動する。このため、押下ヘッド５１が、帯体２３の中間部２３ｃにより下降移動させられ、ピストン部４がシリンダ部３内を下降移動する。
【００７６】
したがって、帯体２３のうち、一端部２３ａ側が支点として、他端部２３ｂ側が力点として、中間部２３ｃが作用点として、それぞれ機能することとなる。また、この過程において、帯体２３における中間部２３ｃのうち、押下ヘッド５１を押下する作用点部分と、力点である他端部２３ｂ側と、の距離が漸次長くなる一方、帯体２３における中間部２３ｃのうち、前記作用点部分と、支点である一端部２３ａ側と、の距離が漸次短くなる。
【００７７】
これにより、内容物を吐出する過程において、レバー部材２１に加えた押下力を、梃子の原理により増幅させて中間部２３ｃを介して押下ヘッド５１に及ぼすことができ、内容物を吐出する際の押下ヘッド５１の押下力を漸次低減することができる。これにより、吐出器１に優れた操作性を具備させることができる。
また、レバー部材２１を下方に向けて回動する際に、レバー部材２１のうち、挿通孔２０を前後方向に挟む基端部２１ａの反対側に位置する部分を押下すると、この押下力をレバー部材２１に固定された帯体２３の他端部２３ｂ側に増幅させて及ぼすことが可能になり、内容物を吐出する際の押下ヘッド５１の押下力を、より一層効果的に低減することができる。
【００７８】
また、レバー部材２１が、上下方向から見た平面視で、押下ヘッド５１側から、前方に向けて延びる操作部２１ｂを備え、操作部２１ｂが、レバー部材２１のうち、押下ヘッド５１を前後方向に挟む基端部２１ａの反対側に位置しているので、操作部２１ｂを押下してレバー部材２１を下方に向けて回動することで、操作部２１ｂへの押下力を、レバー部材２１に固定された帯体２３の他端部２３ｂ側に、より一層効果的に増幅させて及ぼすことができ、吐出器１により一層優れた操作性を具備させることができる。
また、操作部２１ｂが、押下ヘッド５１側から前方に向けて延びているので、操作部２１ｂと押下ヘッド５１との前後方向の距離を確保することが可能になり、操作部２１ｂを押下する際に、使用者の手が押下ヘッド５１と干渉するのを抑えることができる。
【００７９】
（第２実施形態）
次に、図５および図６を参照して、本発明の第２実施形態に係る吐出器１ｂについて説明する。なお、この第２実施形態においては、第１実施形態における構成要素と同一の部分については同一の符号を付し、その説明を省略する。
【００８０】
図５に示すように、本実施形態に係る吐出器１ｂでは、支持部材２２ｃがシリンダ部３と一体に形成されている。図示の例では、支持部材２２ｃにおける接続壁２７ｃが、シリンダ部３の装着筒部３０の外周面に接続されている。接続壁２７ｃは装着筒部３０と一体に形成されている。このため、支持部材２２ｃは台座部を備えていない。
また、吐出器１ｂでは、支持部２６ｄには、支持部２６ｄを上下方向に貫く連結孔２２ａが形成されている。帯体２３の一端部２３ａにおける第１係止片２３ｇが、連結孔２２ａ内に連結孔２２ａの下方から挿入され、支持部２６ｄの上面に突出している。一端部２３ａの第１係止突部２３ｄが、支持部２６ｄの上面における連結孔２２ａの開口周縁部に係合している。
【００８１】
（第３実施形態）
次に、図７および図８を参照して、本発明の第３実施形態に係る吐出器１ｃについて説明する。なお、この第３実施形態においては、第１実施形態における構成要素と同一の部分については同一の符号を付し、その説明を省略する。
【００８２】
図７に示すように、本実施形態に係る吐出器１ｃは、内側が容器本体内に連通する液用シリンダ３ｃと、容器本体の口部に装着されるとともに、液用シリンダ（シリンダ部）３ｃを、容器本体の口部に固定する装着キャップ２ｃと、液用シリンダ３ｃ内に摺動可能に配設された液用ピストン（ピストン部）と、液用ピストンに連係する押下ヘッド５５と、液用シリンダ３ｃ内の内容物を吐出する吐出口８ａが形成されたノズル部３８と、を備えている。液用シリンダ３ｃは、容器本体の内側に配設されている。
ここで、本実施形態では、ノズル部３８が押下ヘッド５５から延びる方向を前後方向といい、前後方向のうち、吐出口８ａが外側に向けて開口する方向を前側といい、その反対側を後側という。また上面視で前後方向と直交する方向を左右方向という。
【００８３】
また吐出器１ｃは、容器本体の口部に上方付勢状態で下方移動可能に立設されたステムと、押下ヘッド５５およびステムの上下動に連係する空気用ピストンと、空気用ピストンが内部に上下摺動可能に収容された空気用シリンダ３ｄと、空気用シリンダ３ｄからの空気と液用シリンダ３ｃからの内容物とが合流する気液混合室と、空気用シリンダ３ｄからの空気を気液混合室に導く空気通路と、気液混合室で混合された気液混合体を発泡させるとともに、所定の泡質にする発泡部材と、を備えている。
【００８４】
図８に示すように、吐出器１ｃにおけるレバー部材２４は、上面視で左右方向に延びている。レバー部材２４は、左右方向のうちの一方側に向けて延びるに従い漸次、上方に向けて延びている。
基端部２４ａ、接続環部２４ｃ、および操作部２４ｂは、支持部材３６側から前記一方側に向けてこの順に配置されている。このため、基端部２４ａおよび操作部２４ｂはそれぞれ、上面視で押下ヘッド５５の左右方向の外側に位置している。
レバー部材２４における接続環部２４ｃは、前方に向けて開口する半割の環状に形成され、シリンダ軸Ｏと同軸に配置されている。このため、挿通孔２０ｃは、前方に向けて開口している。
【００８５】
本実施形態に係る吐出器１ｃでは、上記した第１実施形態に係る吐出器１、および第２実施形態に係る吐出器１ｂとは異なり、ノズル部３８が押下ヘッド５５とともに上下動する。そして、レバー部材２４が下方に向けて回動した際の、ノズル部３８の下方に向けた変位量は、押下ヘッド５５と一致する。一方、このときのレバー部材２４の各部における変位量は、回転軸３６ｂから左右方向に離れて位置するものほど大きくなっている。すなわち、レバー部材２４の部分によっては、レバー部材２４の下方に向けた回動により、ノズル部３８と上下方向に当接若しくは近接する場合があり、ノズル部３８とレバー部材２４との上下方向の距離を、レバー部材２４の左右方向の全域にわたって常に確保することが難しい。
このため吐出器１ｃでは、レバー部材２４の接続環部２４ｃを、上面視でノズル部３８が押下ヘッド５５から突出する方向である前方に向けて開口する半割の環状に形成し、ノズル部３８およびレバー部材２４が、互いに上下方向で対向しないようにすることで、レバー部材２４を下方に向けて回動した際に、レバー部材２４およびノズル部３８が互いに干渉するのを防いでいる。
【００８６】
また、吐出器１ｃにおける支持部材３６は、装着キャップ２ｃに外嵌された筒状に形成されている。支持部材３６の上端部には、レバー部材２４の基端部２４ａを支持する支持部３６ａが一体に形成されている。支持部３６ａは支持部材３６における左右方向の他方側の端部に形成されている。
帯体３７は、一端部３７ａが支持部３６ａと一体に形成されるとともに、他端部３７ｂがレバー部材２４の第１連結凹部２４ｇに連結されている。第１連結凹部２４ｇにおける前側に位置する部分は、接続環部２４ｃを上下方向に貫通している。帯体３７の一端部３７ａは、支持部３６ａにおける左右方向の内端部に連結されている。
他端部３７ｂは、中間部３７ｃの前端部から前方に向けて延びる第１接続片３７ｈと、第１接続片３７ｈの前端部から上方に向けて延びる第１係止片３７ｉとを備えている。他端部３７ｂの第１係止片３７ｉの上端部が、接続環部２４ｃの上面と面一となっている。
【００８７】
本発明は上記した実施の形態に限定されるものではなく、その趣旨を逸脱しない範囲で適宜変更可能である。
【００８８】
例えば、上記第１実施形態においては、レバー部材２１が、上面視で押下ヘッド５１から前方に向けて延びる操作部２１ｂを備えている構成を示したが、このような態様に限られない。レバー部材２１が操作部２１ｂを備えず、例えば接続環部２１ｃを押下することで、レバー部材２１が下方に向けて回動するような構成であってもよい。
【００８９】
また、上記第１実施形態においては、操作部２１ｂが、レバー部材２１のうち、挿通孔２０を前後方向に挟む基端部２１ａの反対側に位置している構成を示したが、このような態様に限られない。操作部２１ｂは、レバー部材２１のうち、前記反対側の位置と異なる部分に位置していてもよい。
【００９０】
また、上記第１実施形態においては、吐出器１が、帯体２３を１つ備える構成を示したが、このような態様に限られない。吐出器１は、帯体２３を複数備えてもよい。このような場合には、例えば帯体２３を２つ備え、それぞれの帯体２３における、支持部材２２に連結される一端部２３ａ、およびレバー部材２１に連結される他端部２３ｂがそれぞれ、シリンダ軸Ｏをシリンダ径方向に挟む互いの反対側に位置するように配置してもよい。また、このような複数の帯体２３を、一体に形成してもよい。
【００９１】
また、上記第１実施形態においては、帯体２３が、長手方向に直交する断面視において、偏平な矩形状をなす帯状部材である構成を示したが、このような態様に限られない。帯体は断面視において円形状やその他の形状をなしてもよいし、中間部２３ｃで複数に分岐するような構成であってもよい。
【００９２】
また、上記第１実施形態においては、帯体２３の中間部２３ｃが、押下ヘッド５１の天壁部５１ａの上面に直接係合する構成を示したが、このような態様に限られない。例えば、押下ヘッド５１の天壁部５１ａの上面に、帯体２３の左右方向の移動を規制する支持溝が形成され、帯体２３の中間部２３ｃが、この支持溝内に収容された状態で、押下ヘッド５１と係合してもよい。
【００９３】
また、上記第１実施形態においては、吐出器１が、容器本体１１の上方に配置されたシリンダ部３と、シリンダ部３の下端部に連結されたノズル部８と、を備えた構成を示したがこのような態様に限られない。また、上記第３実施形態においては、吐出器１ｃが、容器本体の内側に配設された液用シリンダ３ｃと、押下ヘッド５５の上下動に連係する空気用ピストンと、空気用ピストンが内部に上下摺動可能に収容された空気用シリンダ３ｄと、空気用シリンダ３ｄからの空気と液用シリンダ３ｃからの内容物とが合流する気液混合室と、を備えた構成を示したが、このような態様に限られない。
また、上記第１実施形態および第３実施形態においては、吐出器１、１ｃが、押下ヘッド５１、５５を押し下げることで、シリンダ部３、３ｃ内の内容物が吐出口８ａから吐出され、押下ヘッド５１、５５の押し下げを解除したときに、容器本体１１内の内容物がシリンダ部３、３ｃ内に供給される構成を示したが、このような態様に限られない。
以上のように、本発明は、シリンダ部、ピストン部、押下ヘッド、およびノズル部を備え、押下ヘッドの上下動に伴って、容器本体の内容物がシリンダ部内へ供給されるとともに、シリンダ部内の内容物が吐出口から吐出される構成であれば、他の異なる構成に適用することが可能である。
【００９４】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００９５】
１  吐出器
３、３ｃ  シリンダ部
４  ピストン部
８、３８  ノズル部
８ａ  吐出口
１１  容器本体
２０、２０ｃ  挿通孔
２１、２４  レバー部材
２１ｂ、２４ｂ  操作部
２２、２２ｂ、２２ｃ、３６  支持部材
２３、２８、２９、３７  帯体
２３ａ、２８ａ、３７ａ  一端部
２３ｂ、２９ｂ、３７ｂ  他端部
２３ｃ、３７ｃ  中間部
【図１】
2018122899.tif 000003
【図２】
2018122899.tif 000004
【図３】
2018122899.tif 000005
【図４】
2018122899.tif 000006
【図５】
2018122899.tif 000007
【図６】
2018122899.tif 000008
【図７】
2018122899.tif 000009
【図８】
2018122899.tif 000010